(57)【特許請求の範囲】
【請求項１】
撮影手段と、前記撮影手段から出力された撮影データを近距離無線通信により送信する第１無線通信手段とを有するリスト型の携帯型機器と、
前記携帯型機器から送信された撮影データを近距離無線通信により受信する第２無線通信手段と、前記第２無線通信手段により受信された撮影データに基づいて映像を表示する表示手段とを有する表示装置と
を備える情報機器ユニットにおいて、
前記携帯型機器、及び前記表示装置は、数十メートルの通信エリアで互いに通信する近距離無線通信によりデータを直接送受するとともに、
前記表示装置は、持ち運び可能に構成され、
操作子と、
前記操作子が操作された場合に、前記第２無線通信手段を制御して、撮影データの送信要求を前記携帯型機器に向けて前記近距離無線により送信させる表示側制御手段とを備え、
前記携帯型機器は、
該携帯型機器を携えたユーザに危険が生じたことを検出する危険検出手段と、
撮影中である旨を周囲に向けて報知する報知手段と、
前記第１無線通信手段が前記表示装置から前記近距離無線通信により送信された送信要求を受信するまで、或いは、前記危険検出手段により前記ユーザに危険が生じたことが検出されるまで前記撮影手段による撮影を待機し、前記第１無線通信手段が前記表示装置から前記送信要求を受信した場合、或いは、前記危険検出手段により、前記ユーザに危険が生じたことが検出された場合に、前記報知手段により撮影中である旨を報知するとともに前記第１無線通信手段を制御して前記撮影手段による撮影データを前記表示装置に向けて前記近距離無線通信により送信させる携帯側制御手段と、を備える
ことを特徴とする情報機器ユニット。
【請求項２】
前記危険検出手段は、
周囲の音を集音して音声データを出力する集音手段を備え、
前記音声データに所定の音声パターンが含まれているか否かに基づいて前記ユーザに危険が生じたことを検出する
ことを特徴とする請求項１に記載の情報機器ユニット。
【請求項３】
前記危険検出手段は、
前記ユーザの体動を検出する体動検出手段を備え、
前記体動検出手段により検出された体動に基づいて前記ユーザに危険が生じたことを検出する
ことを特徴とする請求項１に記載の情報機器ユニット。
【請求項４】
前記表示装置は、前記ユーザの認証を行う認証手段を更に備え、
前記表示側制御手段は、
前記認証手段により、ユーザが正当なユーザであると判断された場合に限り、前記操作子が操作されたときに、前記第２無線通信手段を制御して、撮影データの送信要求を前記携帯型機器に向けて送信させる
ことを特徴とする請求項１乃至３のいずれかに記載の情報機器ユニット。
【請求項５】
前記撮影手段から出力された撮影データを近距離無線通信により送信する第１無線通信手段とを有するリスト型の携帯型機器と、
前記携帯型機器から送信された撮影データを受信する第２無線通信手段と、前記第２無線通信手段により受信された撮影データに基づいて映像を表示する表示手段とを有する表示装置と
を備える情報機器ユニットの前記撮影データの撮影データ伝送方法において、
前記携帯型機器、及び前記表示装置を、数十メートルの通信エリアで互いに通信する近距離無線通信によりデータを直接送受するように構成し、
前記表示装置を持ち運び可能に構成するとともにユーザの認証を行う認証手段を備えて構成し、
前記携帯型機器を、該携帯型機器を携えたユーザに危険が生じたことを検出する危険検出手段、及び、撮影中である旨を周囲に向けて報知する報知手段を備えて構成し、
前記表示装置は、ユーザによって操作される操作子が操作された場合に、前記認証手段により前記ユーザが正当なユーザであると判断されている場合に限り、前記第２無線通信手段を制御して、撮影データの送信要求を前記携帯型機器に向けて前記近距離無線により送信し、
前記携帯型機器は、
前記第１無線通信手段が前記表示装置から前記近距離無線通信により送信された送信要求を受信するまで、或いは、前記危険検出手段により前記ユーザに危険が生じたことが検出されるまで前記撮影手段による撮影を待機し、前記第１無線通信手段が前記表示装置から前記送信要求を受信した場合、或いは、前記危険検出手段により、前記ユーザに危険が生じたことが検出された場合に、前記報知手段により撮影中である旨を報知するとともに前記第１無線通信手段を制御して前記撮影手段による撮影データを前記表示装置に向けて前記近距離無線通信により送信する
ことを特徴とする撮影データ伝送方法。
【発明の詳細な説明】
【技術分野】
【０００１】
本発明は、子供等の第１ユーザが現在居る場所や状況等を、保護者等の第２ユーザが確認するための技術に関する。
【背景技術】
【０００２】
従来から、第１ユーザに携帯される携帯型カメラと、当該第１ユーザから離れた場所に設置されるモニタ装置とを備え、上記携帯型カメラにて撮影された映像を離れた場所をモニタ装置に表示させ、第２ユーザが上記第１ユーザの周囲の状況をモニタ装置で確認するようにした双方向情報伝送システムが知られている（例えば、特許文献１参照）。
【特許文献１】特許第３０３２３６９号公報
【発明の開示】
【発明が解決しようとする課題】
【０００３】
しかしながら、上記従来の技術においては、携帯型カメラを携帯する第１ユーザが、この携帯型カメラでの撮影を怠った場合、第２ユーザは、第１ユーザの周囲の状況を確認することができなくなってしまう、といった問題がある。
【０００４】
本発明は、上述した事情に鑑みてなされたものであり、第１ユーザの装置操作にかかわらず、第２ユーザが第１ユーザの周囲の状況を確認することの可能な情報機器ユニット、及び撮影データ伝送方法を提供することを目的とする。
【課題を解決するための手段】
【０００５】
上記目的を達成するために、本発明は、撮影手段と、前記撮影手段から出力された撮影データを近距離無線通信により送信する第１無線通信手段とを有するリスト型の携帯型機器と、前記携帯型機器から送信された撮影データを近距離無線通信により受信する第２無線通信手段と、前記第２無線通信手段により受信された撮影データに基づいて映像を表示する表示手段とを有する表示装置とを備える情報機器ユニットにおいて、前記携帯型機器、及び前記表示装置は、数十メートルの通信エリアで互いに通信する近距離無線通信によりデータを直接送受するとともに、前記表示装置は、持ち運び可能に構成され、操作子と、前記操作子が操作された場合に、前記第２無線通信手段を制御して、撮影データの送信要求を前記携帯型機器に向けて前記近距離無線により送信させる表示側制御手段とを備え、前記携帯型機器は、該携帯型機器を携えたユーザに危険が生じたことを検出する危険検出手段と、撮影中である旨を周囲に向けて報知する報知手段と、前記第１無線通信手段が前記表示装置から前記近距離無線通信により送信された送信要求を受信するまで、或いは、前記危険検出手段により前記ユーザに危険が生じたことが検出されるまで前記撮影手段による撮影を待機し、前記第１無線通信手段が前記表示装置から前記送信要求を受信した場合、或いは、前記危険検出手段により、前記ユーザに危険が生じたことが検出された場合に、前記報知手段により撮影中である旨を報知するとともに前記第１無線通信手段を制御して前記撮影手段による撮影データを前記表示装置に向けて前記近距離無線通信により送信させる携帯側制御手段と、を備えることを特徴とする。
この情報機器ユニットによれば、携帯型機器の第１ユーザが、当該携帯型機器を操作せずとも、第２ユーザが表示装置を操作すれば、当該表示装置の表示手段に携帯型機器によって撮影された映像が表示されるため、第２ユーザは、この映像に基づいて第１ユーザが現在どこに居るのかや、また、どういった状況になっているかを容易かつ迅速に確認することができる。
【０００６】
撮影動作を行う場合に、撮影中であることが周囲に報知されるため、例えば不審者等がユーザに近づき難くなり、犯罪を予防することが可能となる。また例えば、ユーザが当該携帯型機器により悪意をもって周囲の撮影行為を行ったとしても、その周囲の人が撮影行為に気づくことができ、これにより、悪意のある撮影行為を防止することが可能となる。なお、撮影動作の報知は、表示や音等で行う態様が有り得る。
【０００７】
ここで、前記危険検出手段は、周囲の音を集音して音声データを出力する集音手段を備え、前記音声データに所定の音声パターンが含まれているか否かに基づいて前記ユーザに危険が生じたことを検出する構成が好ましい。また、前記危険検出手段は、前記ユーザの体動を検出する体動検出手段を備え、前記体動検出手段により検出された体動に基づいて前記ユーザに危険が生じたことを検出する構成も好ましい。
かかる構成によれば、表示装置からの送信要求が無くとも、撮影動作を開始して、撮影データを表示装置に送信するため、携帯型機器のユーザの危険を、表示装置のユーザに迅速に通知することができる。
【０００８】
ここで、上記情報機器ユニットにおいて、上記表示装置は、前記ユーザの認証を行う認証手段を更に備え、前記表示側制御手段は、前記認証手段により、ユーザが正当なユーザであると判断された場合に限り、前記操作子が操作されたときに、前記第２無線通信手段を制御して、撮影データの送信要求を前記携帯型機器に向けて送信させる構成が望ましい。この望ましい構成によれば、表示装置を操作するに際して、個人認証を行う構成としたため、正当なユーザだけが当該表示装置を操作可能になり、不当な者に表示装置が操作されるのを防止することができる。
【０００９】
また、上記目的を達成するために、本発明は、前記撮影手段から出力された撮影データを近距離無線通信により送信する第１無線通信手段とを有するリスト型の携帯型機器と、前記携帯型機器から送信された撮影データを受信する第２無線通信手段と、前記第２無線通信手段により受信された撮影データに基づいて映像を表示する表示手段とを有する表示装置とを備える情報機器ユニットの前記撮影データの撮影データ伝送方法において、前記携帯型機器、及び前記表示装置を、数十メートルの通信エリアで互いに通信する近距離無線通信によりデータを直接送受するように構成し、前記表示装置を持ち運び可能に構成するとともにユーザの認証を行う認証手段を備えて構成し、前記携帯型機器を、該携帯型機器を携えたユーザに危険が生じたことを検出する危険検出手段、及び、撮影中である旨を周囲に向けて報知する報知手段を備えて構成し、前記表示装置は、ユーザによって操作される操作子が操作された場合に、前記認証手段により前記ユーザが正当なユーザであると判断されている場合に限り、前記第２無線通信手段を制御して、撮影データの送信要求を前記携帯型機器に向けて前記近距離無線により送信し、前記携帯型機器は、前記第１無線通信手段が前記表示装置から前記近距離無線通信により送信された送信要求を受信するまで、或いは、前記危険検出手段により前記ユーザに危険が生じたことが検出されるまで前記撮影手段による撮影を待機し、前記第１無線通信手段が前記表示装置から前記送信要求を受信した場合、或いは、前記危険検出手段により、前記ユーザに危険が生じたことが検出された場合に、前記報知手段により撮影中である旨を報知するとともに前記第１無線通信手段を制御して前記撮影手段による撮影データを前記表示装置に向けて前記近距離無線通信により送信することを特徴とする。
【発明の効果】
【００１２】
本発明によれば、第１ユーザの装置操作にかかわらず、第２ユーザが第１ユーザの周囲の状況を確認することが可能となる。
【発明を実施するための最良の形態】
【００１３】
以下図面を参照して、本発明の実施の形態について説明する。本実施形態にかかる情報機器ユニット１は、図１に示すように、少なくとも１つ以上のリスト機器１０と、表示装置２０とを備えている。このリスト機器１０は、図１２に示すように、子供等（第１ユーザ）の手首に巻き付けて装着されるものであり、また、表示装置２０は、図１３に示すように、上記子供の保護者（第２ユーザ）が、子供の現在の状況を確認するために使用されるものである。以下、これらリスト機器１０及び表示装置２０について詳細に説明する。
【００１４】
＜第１実施形態＞
図２は本発明の第１実施形態に係るリスト機器１０の機能的構成を示すブロック図であり、図３は表示装置２０の機能的構成を示すブロック図である。リスト機器１０は、図２に示すように、制御部１０１と、カメラ１０２と、画像処理部１０３と、表示部１０４と、無線処理部１０５と、複数の操作スイッチ１０７を有する操作部１０６とを備えている。制御部１０１は、リスト機器１０の各部を制御する制御手段として機能するものであり、各種の演算処理や制御処理を実行するためのＣＰＵや、制御プログラム等を格納するＲＯＭ、上記ＣＰＵのワークエリアとして機能するＲＡＭ等を備えている。
【００１５】
カメラ１０２は、周囲の状況を撮影する撮影手段として機能するものであり、例えばＣＣＤ（Charge-Coupled Device）カメラ等の撮像デバイスを備えている。画像処理部１０３は、カメラ１０２からの撮影信号を撮影データに変換し、制御部１０１に出力するものである。表示部１０４は、制御部１０１の制御の下、各種情報を表示するものであり、例えば液晶ディスプレイなどを備えている。この表示部１０４には、図１に示すように、カメラ１０２による撮影が行われている間、「撮影中」といった、当該リスト機器１０による撮影動作を周囲の人に対して報知するための表示がなされる。無線処理部１０５は、制御部１０１の制御の下、上記表示装置２０との間で双方向に無線通信するものであり、表示装置２０への撮影データの送信、或いは、上記表示装置２０からの制御コマンドの受信を行う。この制御コマンドとしては、例えば、当該リスト機器１０に対して、撮影の開始指示及び撮影データの送信指示を与える命令等がある。
【００１６】
表示装置２０は、手軽に持ち運び可能な（ポータブルな）表示端末として構成され（図１３参照）、図３に示すように、制御部２０１と、無線処理部２０２と、画像処理部２０６と、液晶表示部２０３と、操作部２０４と、メモリ２０７とを備えている。制御部２０１は、表示装置２０の各部を制御する制御手段として機能するものであり、各種の演算処理や制御処理を実行するためのＣＰＵや、制御プログラム等を格納するＲＯＭ、上記ＣＰＵのワークエリアとして機能するＲＡＭ等を備えている。無線処理部２０２は、制御部２０１の制御の下、上記リスト機器１０との間で双方向に無線通信するものであり、リスト機器１０からの撮影データの受信、或いは、リスト機器１０への制御コマンドの送信を行う。
【００１７】
ここで、表示装置２０は複数のリスト機器１０と無線通信可能に構成されている。具体的には、表示装置２０が何れかのリスト機器１０と無線通信する際には、通信相手となるリスト機器１０が自身宛の通信データを確実に受け取れるようにするために、通信相手となるリスト機器１０の識別情報（以下、「特定ＩＤ」と称する）を含めて送信する構成としている。リスト機器１０と表示装置２０との間の無線通信としては、近距離通信としての無線ＬＡＮやBluetooth（登録商標）等を用いることができる。すなわち、情報ユニットの使用態様として、保護者が子供にリスト機器１０を装着させ、表示装置２０を通じて、庭や別室等で遊ぶ子供の周囲の状況や現在の居場所を確認するといった態様を想定する場合には、通信エリアが数十メートルの無線通信を用いれば良い。
【００１８】
画像処理部２０６は、リスト機器１０から送信されてきた撮影データを制御部２０１から受け取り、液晶表示部２０３に表示させるものである。液晶表示部２０３は、例えばＬＣＤ（Liquid Crystal Display）を備えている。なお、液晶表示部２０３を有機ＥＬ（Electroluminescence）ディスプレイ等により構成しても良いことは勿論である。操作部２０４は、電源スイッチや、液晶表示部２０３への映像表示を指示するスタートスイッチ、当該映像表示終了を指示するストップスイッチといった複数の操作スイッチ（ＳＷ）２０５を備えている。メモリ２０７は、撮影データ等や、上記特定ＩＤ等の各種データを格納する例えばフラッシュＲＯＭ等である。
【００１９】
次いで、本実施形態の動作について説明する。本実施形態では、リスト機器１０による撮影動作が表示装置２０により指示される構成としている。これにより、保護者が、子供の姿が周囲に見あたらない場合や、子供の声が聞こえない場合等に、子供が現在どこに居るのか、或いは、どのような状況下にあるのかを知るべく、表示装置２０の操作部２０４を操作すれば、子供が装着するリスト機器１０にて撮影された映像が表示装置２０に表示されるようになっている。以下、この動作について図４及び図５を参照しつつ詳述する。
【００２０】
図４は上記表示装置２０の動作を示すフローチャートであり、図５は上記リスト機器１０の動作を示すフローチャートである。なお、少なくともリスト機器１０の装着時には、当該リスト機器１０の電源が予め投入されると共に、操作スイッチ（ＳＷ）１０７が操作され、表示装置２０からの通信データを待ち受けた状態になされているものとする。
図４に示すように、表示装置２０の制御部２０１は、操作部２０４が操作され、リスト機器１０からの映像表示が指示された場合、無線処理部２０２を制御して、制御コマンドとしての送信要求コマンドと、当該送信要求コマンドを受信すべきリスト機器１０を指定する特定ＩＤとを送信させる（ステップＳ１０１）。この送信要求コマンドは、リスト機器１０に対して撮像の開始及び撮影データの送信を指示するコマンドである。
【００２１】
図５に示すように、リスト機器１０の制御部１０１は、送信要求コマンドを受信した場合には（ステップＳ２０１：ＹＥＳ）、上記表示装置２０に撮影データを送信するための処理を実行する（ステップＳ２０２）。具体的には、制御部１０１は、無線処理部１０５を制御して、撮影データの送信開始を告げる送信コマンドを表示装置２０に発信させると共に、表示部１０４に撮影動作を報知するための表示（例えば「撮影中」）を行わせる。また、制御部１０１は、カメラ１０２の電源をオンして、当該カメラ１０２に撮影を行わせ、無線処理部１０５を制御して、当該カメラ１０２による撮影データを表示装置２０に順次送信させる。また、表示装置２０は、図４に示すように、上記送信コマンドをリスト機器１０から受信した場合（ステップＳ１０２：ＹＥＳ）、当該リスト機器１０から順次送信されてくる撮影データを受信し、液晶表示部２０３に表示する（ステップＳ１０３）。そして、表示装置２０は、操作部２０４が操作される等して、表示終了指示が入力されるか、或いは、表示装置２０の電源がオフになるまで、液晶表示部２０３に映像を順次表示する。なお、表示装置２０は、映像表示を終了する際には、リスト機器１０に対して撮影データの送信終了指示を制御コマンドとして送信し、リスト機器１０における撮影を停止させる。
【００２２】
このように、本実施形態によれば、リスト機器１０を装着した子供（第１ユーザ）が、当該リスト機器１０を操作せずとも、保護者（第２ユーザ）が表示装置２０を操作すれば、当該表示装置２０の液晶表示部２０３にリスト機器１０によって撮影された映像が表示されるため、保護者は、この映像に基づいてリスト機器１０を装着した子供等が現在どこに居るのかや、また、どういった状況になっているかを容易かつ迅速に確認することができる。
また、本実施形態によれば、リスト機器１０が撮影動作を行う場合に、撮影中であることを周囲に報知する表示が表示部１０４に表示される構成としたため、例えば不審者等が子供に近づき難くなり、誘拐等の犯罪を予防することが可能となる。また例えば、ユーザが当該リスト機器１０により悪意をもって周囲の撮影行為を行ったとしても、その周囲の人が撮影行為に気づくことができ、これにより、悪意のある撮影行為を防止することが可能となる。なお、撮影動作を表示により報知する構成に限らず、音等で報知する構成としても良い。
また、本実施形態によれば、リスト機器１０は、表示装置２０からの要求があった場合のみ、カメラ１０２や画像処理部１０３を動作させるため、消費電力を抑えることが可能となる。
また、本実施形態によれば、ＧＰＳ（Global Positioning System）等の測位システムを用い無くとも、保護者は、リスト機器１０を装着した子供が現在居る場所を、その映像から把握することが可能であるため、従来のＧＰＳ等を用いた装置に比べ、装置コストを削減でき、さらに、消費電力を抑えることができる。
【００２３】
＜第２実施形態＞
次いで、本発明の第２実施形態について説明する。
本実施形態では、保護者（第２ユーザ）が表示装置２０を操作してリスト機器１０に対して撮影を指示するに際し、認証を要する構成としている。具体的には、図３に示す表示装置２０のメモリ２０７には、認証に使用するための認証用データが格納されている。この認証には、例えばパスワード認証、或いは、顔や声紋、瞳の虹彩、指紋によるバイオメトリクス（生体認証）といった任意のものを用いることができる。また、上記第１実施形態では、表示装置２０により指示された場合にのみ、リスト機器１０が撮影を行う構成としたが、本実施形態では、リスト機器１０は、装着者である子供等が所定動作を行った場合にも、撮影を開始して表示装置２０に撮影データと共に音声データを送信する構成としている。以下、かかる構成のリスト機器１０及び表示装置２０について詳述する。なお、本実施形態では、上記認証として指紋による認証を用いた場合を例示する。
【００２４】
図６は本実施形態に係るリスト機器１０の機能的構成を示すブロック図、図７は表示装置２０の機能的構成を示すブロック図である。図６に示すように、リスト機器１０は、上記第１実施形態にて説明した構成に加え、操作部１０７に設けられた指紋センサ１０８と、個人認証処理部１０９と、加速度センサ１１０と、信号処理部１１１と、マイク１１２と、音声処理部１１３とを更に備えている。指紋センサ１０８は、ユーザの指紋を検出して個人認証処理部１０９に出力するのである。個人認証処理部１０９は、当該リスト機器１０の使用が許可されたユーザの指紋データを予め記憶しており、当該指紋データと指紋センサ１０８の検出結果とを照合して個人認証を行い、その認証結果を制御部１０１に出力するものである。
【００２５】
加速度センサ１１０は、当該リスト機器１０の装着者（子供等）の動きに伴う加速度を検出するものであり、検出信号を信号処理部１１１に出力する。信号処理部１１１は、加速度センサ１１０の検出信号をデジタル信号に処理して制御部１０１に出力する。マイク１１２はリスト機器１０の装着者の音声や周囲の音を集音して音声信号として音声処理部１１３に出力するものであり、また、音声処理部１１３は、音声信号をデジタル信号に処理して制御部１０１に出力する。本実施形態では、上記加速度センサ１１０及び信号処理部１１１は、装着者が転倒等した場合の急激な加速度変化を検出し、また、上記音声処理部１１３は、例えば装着者の泣き声等といった特定の音声フレーズを検出する。
【００２６】
表示装置２０は、図７に示すように、上記第１実施形態にて説明した構成に加え、操作部２０４に設けられた指紋センサ２０８と、個人認証処理部２０９と、マイク２１０と、音声処理部部２１１と、スピーカ２１２と、音声出力部２１３とを更に備えている。これらのうち、音声出力部２１３は、制御部２０１からデジタル音声信号が入力された場合に、アナログ信号に変換して、放音手段であるスピーカ２１２に出力するものである。また、その他の指紋センサ２０８、個人認証処理部２０９、マイク２１０及び音声処理部２１１については、上記リスト機器１０が備えるものとほぼ同様であるため、その説明を省略する。
【００２７】
ここで、本実施形態では、上記表示装置２０のメモリ２０７には、当該表示装置２０を利用可能な（操作可能な）ユーザの識別情報たる個人ＩＤが予め格納されている。また、本実施形態では、表示装置２０が撮影データ及び音声データの送信要求を複数のリスト機器１０に対して送信した場合には、これらのリスト機器１０のうち、表示装置２０を今現在操作しているユーザに対応する人物が装着しているリスト機器１０のみが撮影データ及び音声データを表示装置２０に送信する。具体的には、各リスト機器１０の制御部１０１には、当該リスト機器１０が受信すべき通信を特定するために、上記個人ＩＤが予め格納されており、表示装置２０がリスト機器１０に通信データを送信する際、今現在の操作者たるユーザの個人ＩＤを含めて送信し、受信側の各リスト機器１０は、自器が管理する個人ＩＤが含まれた通信データのみを受信処理する構成としている。
【００２８】
次いで、本実施形態の動作説明として、表示装置２０からリスト機器１０に対して撮影データ及び音声データの送信を要求する場合の動作について説明する。
図８は、表示装置２０の動作を示すフローチャートである。この図に示すように、ユーザが表示装置２０を操作すると、先ず指紋認証が行われる（ステップＳ３０１）。具体的には、表示装置２０の個人認証処理部２０９は、指紋センサ２０８の検出結果に基づいて認証を行い、認証の結果、今回のユーザが予め登録されている正当なユーザでない場合（ステップＳ３０１：不当なユーザ）、制御部２０１は、その操作を無効にして（ステップＳ３０２）処理を終了する。一方、今回のユーザが正当なユーザである場合には（ステップＳ３０１：正当なユーザ）、制御部２０１は、そのユーザに対応する個人ＩＤを特定すると共に、無線処理部２０２を制御して、当該個人ＩＤと、撮影データの送信要求コマンドとをリスト機器１０に向けて送信させる（ステップＳ３０３）。
【００２９】
一方、リスト機器１０の制御部１０１は、図９に示すように、自器が管理する個人ＩＤと送信要求コマンドとを待ち受け、個人ＩＤと送信要求コマンドとを受信した場合には（ステップＳ４０１：ＹＥＳ）、上記表示装置２０に撮影データ及び音声データを送信するための処理を実行する（ステップＳ４０２）。すなわち、制御部１０１は、無線処理部１０５を制御して、撮影データの送信開始を告げる送信コマンドを発信させると共に、表示部１０４に撮影中である旨を表示させる。また、制御部１０１は、カメラ１０２及びマイク１１２の電源をオンにして、当該カメラ１０２に撮影を行わせると共にマイク１１２に集音させ、無線処理部１０５を制御して、撮影データ及び音声データを表示装置２０に向けて順次送信させる。
【００３０】
表示装置２０は、図８に示すように、上記送信コマンドをリスト機器１０から受信した場合（ステップＳ３０４：ＹＥＳ）、当該リスト機器１０から送信されてくる撮影データ及び音声データを順次受信し、液晶表示部２０３に表示させると共にスピーカ２１２から音声を出力させる（ステップＳ３０５）。そして、表示装置２０は、操作部２０４が操作される等して、表示終了指示が入力されるか、或いは、表示装置２０の電源がオフになるまで、映像表示と音声出力を行う。
【００３１】
次いで、リスト機器１０が、表示装置２０からの要求にかかわらず、当該リスト機器１０の装着者が所定の動作を行うか、或いは、装着者が所定の音声を発するか等した場合に、表示装置２０に撮影データ及び音声データを送信する際の動作について詳述する。
図１０は、リスト機器１０の動作を示すフローチャートである。この図に示すように、リスト機器１０の制御部１０１は、電源が投入され、スタートスイッチ（ＳＷ）がオンになると、音声処理部１１３及び加速度センサ１１０の電源をオンにする（ステップＳ５０１）。次いで、制御部１０１は、続くステップＳ５０２及びＳ５０３において、音声処理部１１３により特定の音声パターンが検出されたか、或いは、装着者の特定動作が検出されたかを判断する。ここで、上記のように、特定の音声パターンは、例えば装着者の泣き声等であり、また、特定動作は例えば装着者の転倒等である。すなわち、これら特定の音声パターン及び特定動作はいずれも、装着者に何らかの危険が生じたことを示すものである。例えば、図１３に示すように、リスト機器１０を装着した子供が転倒する等して、泣いてしまった場合、この泣き声が音声処理部１１３により検出されることとなる。
【００３２】
ステップＳ５０２において特定音声パターン５０２が検出されたこと、或いは、ステップＳ５０３において特定動作が検出されたことを条件に、制御部１０１は、処理手順をステップＳ５０４に進め、当該制御部１０１に予め格納されている個人ＩＤと共に送信要求コマンドを表示装置２０に送信する。この送信要求コマンドは、表示装置２０に対して、撮影データ及び音声データの送信許可を求めるために送信されるものである。また、個人ＩＤを送信するのは、表示装置２０が複数存在する場合等に、当該送信要求コマンドを受信すべき表示装置２０を特定するためである。
【００３３】
表示装置２０は、図１１に示すように、リスト機器１０から送信要求コマンドを受信した場合には（ステップＳ６０１：ＹＥＳ）、送信を許可する旨を示す送信ＯＫコマンドを個人ＩＤと共に送信する（ステップＳ６０２）。なお、このステップＳ６０２において、個人ＩＤを送信するのは、上記ステップＳ３０３と同様に、今回の送信データを受信処理すべきリスト機器１０を特定するためである。
【００３４】
一方、リスト機器１０は、図１０に示すように、表示装置２０からの送信ＯＫコマンドを受信するまで、送信要求コマンド及び個人ＩＤの送信を続け、送信ＯＫコマンドを受信した場合には（ステップＳ５０５）、上述のステップＳ３０５と同様にして、表示装置２０に撮影データ及び音声データを送信する（ステップＳ５０６）。
そして表示装置２０は、図１１に示すように、リスト機器１０から送信されてくる撮影データ及び音声データを順次受信し、液晶表示部２０３に表示させると共にスピーカ２１２から音声を出力させる（ステップＳ５０６）。これにより、図１３に示すように、転倒して泣いている子供の映像が液晶表示部２０３に表示されると共に、その泣き声がスピーカ２１２から出力され、保護者は、子供の危険を迅速に察知することが可能となる。
【００３５】
以上説明したように、本実施形態によれば、第１実施形態にて述べた効果に加え、更に次ぎのような効果を奏する。
すなわち、表示装置２０を操作するに際して、個人認証を行う構成としたため、正当なユーザだけが当該表示装置２０を操作可能になり、不当な者に表示装置２０が操作されるのを防止することができる。さらに、正当なユーザであっても、幾つかあるリスト機器１０の全てに対して撮影動作させることができるのではなく、個人ＩＤを登録したリスト機器１０だけを撮影動作させる構成としたため、いたずらに他人の状況を盗み見るといったことを防止することができる。
また、本実施形態によれば、リスト機器１０が特定音声フレーズ或いは装着者の特定動作を検出し、表示装置２０からの要求が無くとも、撮影動作を開始して、撮影データ及び音声データを表示装置２０に送信する構成としたため、装着者の危険等を、表示装置２０の操作者に迅速に通知することができ、以って、事故や犯罪を防止することが可能となる。
【００３６】
なお、本実施形態において、特定音声フレーズとして、装着者の特定の音声を検出する構成について例示したが、これに限らず、周囲の人の音声を検出する構成としても良い。さらに詳述すると、子供をいじめるような第３者（例えば、いじめっ子）が特定されている場合には、その第３者の音声を、リスト機器１０のマイク１１２、或いは、表示装置２１０のマイク２１０から予め録音し、リスト機器１０の音声処理部１１３に特定音声フレーズとして登録しておくようにしても良い。
また、本実施形態では、図６に示すように、リスト機器１０は、表示装置２０と同様に、指紋センサ１０８及び個人認証処理部１０９を備え、リスト機器１０の装着者の認証を行うことが可能な構成としている。この構成により、正当なユーザがリスト機器１０を装着している場合に限り、当該リスト機器１０を使用可能とすることができる。このリスト機器１０の認証動作については、上記表示装置２０と同様なため、その説明を省略する。
【００３７】
なお、上述した第１及び第２実施形態は、あくまでも本発明の一態様を示すものであり、本発明の範囲内で任意に変形及び応用が可能である。例えば、上述した各実施形態の構成に加え、リスト機器１０が計時回路を備え、予め定められた時刻がきたときに、撮影動作を開始し、撮影データを表示装置２０に送信する構成としても良い。
また、上述した各実施形態の構成に加え、表示装置２０が計時回路を備え、予め定められた時刻がきたときに、リスト機器１０に対して撮影データの送信を要求し、当該リスト機器１０から送信されてきた撮影データに基づいて液晶表示部２０３に映像を表示する構成としても良い。
【図面の簡単な説明】
【００３８】
【図１】本発明の実施形態に係る情報機器ユニットの構成を示す図である。
【図２】第１実施形態に係るリスト機器の機能ブロック図である。
【図３】第１実施形態に係る表示装置の機能ブロック図である。
【図４】表示装置の動作を示すフローチャートである。
【図５】リスト機器の動作を示すフローチャートである。
【図６】第２実施形態に係るリスト機器の機能ブロック図である。
【図７】第２実施形態に係る表示装置の機能ブロック図である。
【図８】表示装置の動作を示すフローチャートである。
【図９】リスト機器の動作を示すフローチャートである。
【図１０】リスト機器の動作を示すフローチャートである。
【図１１】表示装置の動作を示すフローチャートである。
【図１２】リスト機器の使用の一態様を示す図である。
【図１３】表示装置の使用の一態様を示す図である。
【図１４】情報機器ユニットの使用の一態様を示す図である。
【符号の説明】
【００３９】
１…情報機器ユニット、１０…リスト機器、２０…表示装置、１０１…制御部（リスト機器側）、１０２…カメラ（撮影手段）、１０５…無線処理部（リスト機器側）、１０８…指紋センサ（リスト機器側）、１１０…加速度センサ、１１２…マイク、１１３…音声処理部、２０１…制御部（表示装置側）、２０２…無線処理部（表示装置側）、２０３…液晶表示部、２０４…操作部、２０８…指紋センサ（表示装置側）、２０９…個人認証処理部。
【図１】
0004759924.tif 000002
【図２】
0004759924.tif 000003
【図３】
0004759924.tif 000004
【図４】
0004759924.tif 000005
【図５】
0004759924.tif 000006
【図６】
0004759924.tif 000007
【図７】
0004759924.tif 000008
【図８】
0004759924.tif 000009
【図９】
0004759924.tif 000010
【図１０】
0004759924.tif 000011
【図１１】
0004759924.tif 000012
【図１２】
0004759924.tif 000013
【図１３】
0004759924.tif 000014
【図１４】
0004759924.tif 000015